(57)【要約】【課題】豪雨時等においては十分な止水性を得られるようにし、晴天時等においてはドアとドア枠との間の通気性を得られるようにする。【解決手段】ドア枠１０に開き戸式の扉体３０が開閉可能に取り付けられ、下枠の内側に下部戸当りが凸設され、ドア枠１０、戸当り２０及び扉体３０に対して着脱可能な板材５１が戸当り２０に立て掛けられ、板材５１の下端部に沿って下部シール５３が設けられ、板材５１の側端部に沿って側部シール５４，５５が設けられ、扉体３０が閉じた状態において板材５１の下端部と下部シール５３とが戸当り２０と扉体３０との間に挟持され、板材の側端部と側部シール５４，５５とが戸当り２０と扉体３０との間に挟持される。【選択図】図１
2014218794.tif 000002
【特許請求の範囲】
【請求項１】
上枠、下枠及び左右の縦枠を枠組みしてなるドア枠に開き戸式の扉体が開閉可能に取り付けられ、
前記下枠の内側に下部戸当りが凸設され、
前記縦枠の内側に縦戸当りが凸設され、
前記ドア枠、前記下部戸当り、前記縦戸当り及び前記扉体に対して着脱可能な板材が前記下部戸当り及び前記縦戸当りに立て掛けられ、
前記板材の下端部に沿って下部シールが設けられ、
前記板材の側端部に沿って側部シールが設けられ、
前記扉体が閉じた状態において前記板材の下端部と前記下部シールとが前記下部戸当りと前記扉体との間に挟持され、前記板材の側端部と前記側部シールとが前記縦戸当りと前記扉体との間に挟持される
ことを特徴とする防水ドア構造。
【請求項２】
前記下部戸当りの前記扉体側の面に下部パッキンが前記下部戸当りに沿って設けられ、
前記縦戸当りの前記扉体側の面に縦パッキンが前記縦戸当りに沿って設けられ、
前記下部パッキンが前記板材の下端部及び前記下部シールとともに前記下部戸当りと前記扉体との間に挟持され、
前記縦パッキンが前記板材の側端部及び前記側部シールととともに前記縦戸当りと前記扉体との間に挟持される
ことを特徴とする請求項１に記載の防水ドア構造。
【請求項３】
建物の外壁に設けられた開口に沿って前記ドア枠が固定され、
前記扉体が前記建物の外側へ開く外開き式である
ことを特徴とする請求項１又は２に記載の防水ドア構造。
【請求項４】
前記扉体が開いた状態において、前記板材が前記下部戸当り及び前記縦戸当りよりも前記建物の外側において前記下部戸当り及び前記縦戸当りに受けられている
ことを特徴とする請求項３に記載の防水ドア構造。
【請求項５】
上枠、下枠及び左右の縦枠を枠組みしてなるドア枠とそのドア枠に開閉可能に取り付けられた開き戸式の扉体とに対して着脱可能であり、前記下枠及び前記縦枠の内側にそれぞれ凸設された下部戸当り及び縦戸当りに立て掛けられる板材と、
前記板材の下端部に沿って設けられた下部シールと、
前記板材の側端部に沿って設けられた側部シールと、
を備えることを特徴とするドアの止水板。
【発明の詳細な説明】
【技術分野】
【０００１】
本発明は、防水ドア構造及びドアの止水板に関し、特に屋内への浸水を防止する技術に関する。
【背景技術】
【０００２】
特許文献１には、ドアの止水に関する技術が開示されている。具体的には、ドアの下端面にスリットが形成されており、そのスリットにパッキンが嵌め込まれ、パッキンがドアの下端面から下方へ突出することによって、ドアの下端面とドア枠の下枠との隙間がパッキンによって止水されている。また、そのスリットがドアの幅方向に沿って延在し、そのスリットの左右両端部がドアの側端面で開口し、パッキンがドアの側端面から側方へ突出することによって、ドアの側端面とドア枠の縦枠との隙間がパッキンによって止水されている。
【先行技術文献】
【特許文献】
【０００３】
【特許文献１】特開２００４−２５７０９２号公報
【発明の概要】
【発明が解決しようとする課題】
【０００４】
ところが、特許文献１に記載のドアを建物の出入口に利用した場合、豪雨時に屋外が冠水したときには、ドアとドア枠との間の隙間に大きな水圧がかかり、パッキンによっても十分に止水出来ない虞がある。
また、晴天時等においてはパッキンが不要であり、ドアを閉めた時に通気性を確保したいこともある。
また、特許文献１に記載の技術はドアの開閉に伴ってドアが昇降するものであるため、ドア及びそのヒンジ等が複雑な構成となってしまい、コストが嵩む。
【０００５】
そこで、本発明は、上記事情に鑑みてなされたものであって、豪雨時等においては十分に止水することができ、晴天時等においてはドアとドア枠との間の通気性を確保することができ、低コストでシンプルな構成の防水ドア構造及び止水板を提供することを目的とする。
【課題を解決するための手段】
【０００６】
上記課題を解決するための請求項１に係る発明は、例えば図１に示すように、上枠１２、下枠１３及び左右の縦枠１４，１５を枠組みしてなるドア枠１０に開き戸式の扉体３０が開閉可能に取り付けられ、前記下枠１３の内側に下部戸当り２３が凸設され、前記縦枠１４，１５の内側に縦戸当り２４，２５が凸設され、前記ドア枠１０、前記下部戸当り２３、前記縦戸当り２４，２５及び前記扉体３０に対して着脱可能な板材５１が前記下部戸当り２３及び前記縦戸当り２４，２５に立て掛けられ、前記板材５１の下端部に沿って下部シール５３が設けられ、前記板材５１の側端部に沿って側部シール５４，５５が設けられ、前記扉体３０が閉じた状態において前記板材５１の下端部と前記下部シール５３とが前記下部戸当り２３と前記扉体３０との間に挟持され、前記板材５１の側端部と前記側部シール５４，５５とが前記縦戸当り２４，２５と前記扉体３０との間に挟持されることを特徴とする防水ドア構造である。
【０００７】
請求項１に係る発明によれば、扉体３０が閉じた状態において板材５１の端部及びシール５３，５４，５５が扉体３０と戸当り２３，２４，２５との間に挟持されるので、扉体３０とドア枠１０との間の隙間を十分に止水することができる。
また、板材５１がドア枠１０、戸当り２３，２４，２５及び扉体３０に対して着脱可能であるから、晴天時等において止水板５０をドア枠１０及び扉体３０から外すことによって、扉体３０とドア枠１０との間に隙間を確保することができ、その隙間を通じて通気性を得ることができる。
また、板材５１を戸当り２３，２４，２５に立て掛けて、シール５３，５４，５５を戸当り２３，２４，２５と扉体３０との間に挟むという簡単・シンプルな構成によって止水性を得ることができるので、低コストの防水ドア構造及び止水板５０を提供することができる。
【０００８】
請求項２に係る発明は、例えば図２及び図３に示すように、前記下部戸当り２３の前記扉体３０側の面に下部パッキン６３が前記下部戸当り２３に沿って設けられ、前記縦戸当り２４，２５の前記扉体３０側の面に縦パッキン６５が前記縦戸当り２４，２５に沿って設けられ、前記下部パッキン６３が前記板材５１の下端部及び前記下部シール５３とともに前記下部戸当り２３と前記扉体３０との間に挟持され、前記縦パッキン６５が前記板材５１の側端部及び前記側部シール５４，５５ととともに前記縦戸当り２４，２５と前記扉体３０との間に挟持されることを特徴とする請求項１に記載の防水ドア構造である。
【０００９】
請求項２に係る発明によれば、板材５１及びシール５３，５４，５５とともにパッキン６３，６５が戸当り２３，２４，２５と扉体３０の間に挟持されるから、扉体３０とドア枠１０との間の隙間の止水性が更に向上する。
【００１０】
請求項３に係る発明は、建物の外壁２に設けられた開口２ａに沿って前記ドア枠１０が固定され、前記扉体３０が前記建物の外側へ開く外開き式であることを特徴とする請求項１又は２に記載の防水ドア構造である。
【００１１】
請求項３に係る発明によれば、扉体３０が外開き式であるので、扉体３０の外側が冠水すると、扉体３０に作用する水圧によってシール５３，５４，５５が圧縮される。それゆえ、扉体３０とドア枠１０との間の隙間の止水性が更に向上する。
【００１２】
請求項４に係る発明は、前記扉体３０が開いた状態において、前記板材５１が前記下部戸当り２３及び前記縦戸当り２４，２５よりも前記建物の外側において前記下部戸当り２３及び前記縦戸当り２４，２５に受けられていることを特徴とする請求項３に記載の防水ドア構造である。
【００１３】
請求項４に係る発明によれば、板材５１が建物の外側において戸当り２３，２４，２５に受けられているので、扉体３０が開いた状態で建物の外側が冠水すると、板材５１に直接水圧が作用し、その水圧によって板材５１の端部及びシール５３，５４，５５が戸当り２３，２４，２５に押し付けられる。よって、扉体３０が開いても、建物の内側に浸水することを防止することができる。また、止水性を確保した上で扉体３０を開くことができるから、更に増水した時等の緊急時に屋外へ避難することができる。
【００１４】
請求項５に係る発明は、上枠１２、下枠１３及び左右の縦枠１４，１５を枠組みしてなるドア枠１０とそのドア枠１０に開閉可能に取り付けられた開き戸式の扉体３０とに対して着脱可能であり、前記下枠１３及び前記縦枠１４，１５の内側にそれぞれ凸設された下部戸当り２３及び縦戸当り２４，２５に立て掛けられる板材５１と、前記板材５１の下端部に沿って設けられた下部シール５３と、前記板材５１の側端部に沿って設けられた側部シール５４，５５と、を備えることを特徴とするドアの止水板５０である。
【００１５】
請求項５に係る発明によれば、水圧によって板材５１の端部及びシール５３，５４，５５が戸当り２３，２４，２５に押し付けられることによって、止水性が向上する。また、止水板５０をドア枠１０及び扉体３０から外すことができ、扉体３０とドア枠１０との間に隙間を確保することができ、その隙間を通じて通気性を得ることができる。また、止水板５０がシンプルな構成であり、低コストで止水性を得ることができる。
【発明の効果】
【００１６】
本発明によれば、豪雨時等は、止水板のシールによって扉体とドア枠との間の隙間を十分に止水することができ、晴天時等は、止水板を扉体及びドア枠から外せ、扉体とドア枠との間に僅かな隙間を通じて通気性を確保することができる。また、シンプルな構成の止水板によって止水性を低コストで得ることができる。
【図面の簡単な説明】
【００１７】
【図１】本発明の実施形態に係る防水ドア構造を屋内側から見て示した正面図である。
【図２】II−II断面図である。
【図３】III−III断面図である。
【発明を実施するための形態】
【００１８】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１９】
図１は、建物の内側から見て示した防水ドア構造１の正面図である。この防水ドア構造１は建物の外や中へ出入りするための出入口である。この防水ドア構造１が建物の一階又は地階の外壁２に設けられており、豪雨時の屋内への浸水がこの防水ドア構造１によって防止される。
【００２０】
この防水ドア構造１は、閉じた状態の扉体３０と戸当り２０との間に止水板５０を挟み込むことによって、扉体３０と戸当り２０との間の隙間を通じた浸水を止水板５０によって防止するものである。より具体的には、この防水ドア構造１は、屋外に冠水した水の圧力を利用して、止水板５０を戸当り２０に押し当てることによって止水性を向上させたものである。
【００２１】
続いて、防水ドア構造１の構成について具体的に説明する。
この防水ドア構造１は、ドア枠１０、戸当り２０、扉体３０、ヒンジ４０及び止水板５０等から構成されている。
ドア枠１０は外壁２に取り付けられている。より具体的には、外壁２の外側と内側に通じる矩形状の開口２ａが外壁２に設けられており、ドア枠１０がその開口２ａの内側でその開口２ａの縁に沿って外壁２に固定されている。
【００２２】
ドア枠１０は、上枠１２、下枠１３及び左右の縦枠１４，１５を矩形状に枠組みしたものである。つまり、縦枠１４，１５が互いに間隔をおいて上下に延在し、上枠１２及び下枠１３が互いに間隔をおいて左右に延在し、上枠１２の左右の端が縦枠１４，１５の上端にそれぞれ連結され、下枠１３の左右の端が縦枠１４，１５の下端にそれぞれ連結されている。
【００２３】
戸当り２０は、ドア枠１０の内側に凸状に設けられているとともに、正面から見て矩形枠状に設けられている。戸当り２０は上部戸当り２２、下部戸当り２３及び縦戸当り２４，２５から構成されている。上部戸当り２２が、上枠１２の内側に凸状に設けられているとともに、上枠１２に沿って左右に延在する。下部戸当り２３が、下枠１３の内側に凸状に設けられているとともに、下枠１３に沿って左右に延在する。縦戸当り２４，２５は、それぞれ縦枠１４，１５の内側に凸状に設けられているとともに、それぞれ縦枠１４，１５に沿って上下に延在する。
【００２４】
扉体３０は開き戸式の扉である。この扉体３０は、ヒンジ４０によって縦枠１４に取り付けられて、このヒンジ４０によって開閉可能に設けられている。具体的には、扉体３０が縦戸当り２４よりも屋外において縦枠１４にヒンジ結合されており、扉体３０が閉じた状態では、扉体３０が戸当り２０よりも屋外に配置されて、その扉体３０が戸当り２０に当たる。つまり、この扉体３０は、屋外へ開く外開き式の扉である。
【００２５】
図２は、図１に示すII−IIに沿った面を矢印方向に向かって見て示した縦断面図である。図２に示すように、下部戸当り２３の屋外側の面には、エラストマーからなる下部パッキン６３が固着され、その下部パッキン６３は下部戸当り２３に沿って設けられている。同様にして、上部戸当り２２の屋外側の面にも上部パッキンが固着されている。
【００２６】
図３は、図１に示すIII−IIIに沿った面を矢印方向に向かって見て示した横断面図である。図３に示すように、縦戸当り２５の屋外側の面には、エラストマー（ゴム弾性材）からなる縦パッキン６５が固着され、その縦パッキン６５は縦戸当り２５に沿って設けられている。同様にして、縦戸当り２４の屋外側の面にも縦パッキンが固着されている。
【００２７】
図１に示すように、止水板５０は、扉体３０の屋内側の面の下部に対向して、その面に面接触される。この止水板５０は、アタッチメントであって、扉体３０に対して着脱・接離可能である。
【００２８】
止水板５０は、矩形状に設けられた板材５１の縁部にシール５２を設けたものである。板材５１は透明、半透明又は不透明な金属板、樹脂板、木板、ガラス板又はセラミック板である。図１では、板材５１が樹脂（例えば、アクリル樹脂、ポリカーボネート樹脂、ＡＢＳ樹脂、ＰＶＣ樹脂、ＰＢＴ樹脂若しくはポリアミド樹脂又はこれらの中の２以上のアロイ）からなる。
なお、板材５１を薄くすることによって、板材５１が柔軟性・可撓性を有する薄板（シート）であってもよい。その場合には、板材５１が樹脂からなることが好ましい。板材５１を折ったり、丸めたりすることができるので、晴天時等において止水板５０を使用しない場合には、止水板５０をコンパクトにして収納することができる。
【００２９】
シール５２はエラストマーからなる。シール５２は正面から見てＵ字型（横コ字型）に形作られており、シール５２のうち板材５１の左右両側の端部に沿って設けられた部位５４，５５をそれぞれ側部シール５４，５５といい、シール５２のうち板材５１の下端部に沿って設けられた部位５３を下部シール５３という。
【００３０】
図２に示すように、その下部シール５３に溝が形成されて、下部シール５３が横断面Ｕ字型に設けられ、板材５１の下端部が下部シール５３の溝に嵌め込まれている。そのため、板材５１の下端面が下部シール５３のウエブ部５３ａによって被覆され、板材５１の前面及び後面の下縁部が下部シール５３のフランジ部５３ｂ，５３ｃによってそれぞれ被覆されている。側部シール５５も同様にして板材５１の右側の端部に設けられ（図３参照）、側部シール５４も同様にして板材５１の左側の端部に設けられている。ここで、側部シール５５のウエブ５５ａが板材５１の右の側端面に覆い被さり、フランジ部５５ｂ，５５ｃが板材５１の前面及び後面の右縁部に覆い被さっている。
【００３１】
続いて、止水板５０の設置について説明する。
扉体３０を屋外へ開けて、止水板５０の板材５１を戸当り２０の屋外側で下部戸当り２３及び縦戸当り２４，２５に立て掛けて、下部シール５３を下部パッキン６３に当接させ、側部シール５５を縦パッキン６５に当接させ、縦戸当り２４に設けられた縦パッキンに側部シール５４を当接させる。必要に応じて、板材５１を左に寄せることによって側部シール５４を縦枠１４に当接させるか、板材５１を右に寄せることによって側部シール５５を縦枠１５に当接させるか、板材５１の横幅が縦枠１４，１５の間隔に等しい場合には側部シール５４，５５の両方を縦枠１４，１５にそれぞれ当接させる。
【００３２】
次に、扉体３０を閉じると、板材５１の下端部、下部シール５３及び下部パッキン６３が扉体３０と下部戸当り２３との間に挟持される（図２参照）。また、板材５１の左側の端部、側部シール５４及び縦パッキンが扉体３０と縦戸当り２４との間に挟持され、板材５１の右側の端部、側部シール５５及び縦パッキン６５が扉体３０と縦戸当り２５との間に挟持される（図３参照）。なお、扉体３０が閉じた状態では、扉体３０に設けられたラッチが縦枠１５に設けられたストライクに引っ掛かってもよいし、ラッチがストライクから外れていてもよい。
【００３３】
下部シール５３、側部シール５４，５５、下部パッキン６３、縦パッキン６５及び左の縦パッキンが圧縮されるので、これらによって扉体３０と戸当り２０との間の隙間が閉塞される。そのため、止水性が向上する。また、扉体３０の外が冠水すると、水圧によって扉体３０が閉じる方向へ押され、下部シール５３、側部シール５４，５５、下部パッキン６３、縦パッキン６５及び左の縦パッキンによる止水性が更に向上する。
【００３４】
扉体３０を開けた状態に保っても、下部シール５３、側部シール５４，５５、下部パッキン６３、縦パッキン６５及び左の縦パッキンによる止水性を確保することができる。つまり、屋外が冠水すると、水圧が板材５１に直接作用し、板材５１が戸当り２０に押し付けられ、下部シール５３、側部シール５４，５５、下部パッキン６３、縦パッキン６５及び左の縦パッキンが圧縮される。浸水を防止しつつ扉体３０を開けた状態とすることができるので、緊急時に屋内から屋外へ避難することができる。
【００３５】
なお、止水板５０の撤去は、扉体３０を開くことによって行うことができる。
【００３６】
本実施の形態によれば、以下のような効果及び利点がある。
（１）  扉体３０の外が冠水した場合でも、扉体３０とドア枠１０との間の隙間を通じた浸水を止水板５０によって防止することができる。
【００３７】
（２）  下部戸当り２３に下部パッキン６３が設けられ、その下部パッキン６３が下部シール５３及び板材５１とともに扉体３０と下部戸当り２３との間に挟まれるので、止水性が更に向上する。扉体３０の左右両側についても同様である。
【００３８】
（３）  扉体３０が外開き式の戸であるから、屋外が冠水した場合に、扉体３０に作用する水圧の向きは扉体３０を閉じる向きである。そのため、水圧によって止水性が更に向上する。
【００３９】
（４）  止水板５０を戸当り２０に立て掛けて、シール５２を戸当り２０と扉体３０との間に挟むということによって止水性を得ることができるので、低コストでシンプルな構成の防水ドア構造及び止水板を提供することができる。
【００４０】
（５）  晴天時等においては、止水板５０を扉体３０及びドア枠１０から外すことができ、扉体３０とドア枠１０との間に僅かな隙間を通じて通気性を確保することができる。
【符号の説明】
【００４１】
１  防水ドア構造
１０  ドア枠
１２  上枠
１３  下枠
１４，１５  縦枠
２０  戸当り
２２  上部戸当り
２３  下部戸当り
２４，２５  縦戸当り
３０  扉体
５０  止水板
５１  板材
５２  シール
５３  下部シール
５４，５５  側部シール
６３  下部パッキン
６５  縦パッキン
【図１】
2014218794.tif 000003
【図２】
2014218794.tif 000004
【図３】
2014218794.tif 000005